(57)【要約】【課題】天井と壁との接続部に機能性や装飾性などを持たせ、高性能な部屋を実現することのできる折上げ天井と壁との接続構造を提供すること。【解決手段】天井Ｃの際に位置する壁パネル１の裏面に取り付けられた枠３の上横桟３ａから部屋Ｒの内部に向かって突設され、突出端に垂下片７ｃを有する壁側固定枠７に、天井パネル４の側縁部に配設され、天井パネルの外側に突出する折り上がった形状の天井側固定枠８を重ね合わせ、両者を固定することにより壁パネルと天井パネルとの間に凹状の折上げ空隙１３が形成され、折上げ空隙の内部に吊り下げを可能とした機能レール部１４が壁側固定枠と一体に設けられている。【選択図】図１
2008180039.tif 000002
【特許請求の範囲】
【請求項１】
折上げ天井と壁との接続構造であって、壁を形成し、天井際に位置する壁パネルの裏面に取り付けられた枠の上横桟から部屋の内部に向かって壁側固定枠が突設され、壁側固定枠は突出端に垂下片を有し、天井を形成する天井パネルの側縁部に天井パネルの外側に突出し、折り上がった形状の天井側固定枠が配設され、壁側固定枠に天井側固定枠を重ね合わせ、両者を固定することにより壁パネルと天井パネルとの間に凹状の折上げ空隙が形成され、折上げ空隙の内部に吊り下げを可能とした機能レール部が壁側固定枠と一体に設けられていることを特徴とする折上げ天井と壁との接続構造。
【請求項２】
壁側固定枠は長尺の部材であり、壁パネルの横幅全体に設けられ、機能レール部が壁側固定枠の全長にわたって設けられていることを特徴とする請求項１に記載の折上げ天井と壁との接続構造。
【発明の詳細な説明】
【技術分野】
【０００１】
本発明は、周縁部が凹状に折り上がった折上げ天井と壁との接続構造に関する。
【背景技術】
【０００２】
従来、浴室などのユニットルームに天井を取り付ける際には、図５＜ａ＞に示したように、天井際に位置する壁パネル１１１の裏面上端部に取り付けられた上横桟１１２の上面から上方に連結片１１３を延設し、天井パネル１１４の側縁から垂下する折り曲げ片１１５を連結片１１３に対向させ、ビス１１６などの固着具によって両者を固定した後、図５＜ｂ＞に示したように、天井パネル１１４の下面と壁パネル１１１の上端との間の隙間１１７に化粧廻り縁１１８を嵌め込み、天井パネル１１４と壁パネル１１１との接続部を美麗に納めるのが一般的であった。
【０００３】
しかしながら、ユニットルームについては機能性や装飾性などの向上が求められてきており、天井と壁との接続構造には改良が望まれている。
【０００４】
たとえば特許文献１には、天井にハンガーレールが並設され、間仕切りパネルをハンガーレールに吊り下げ、ハンガーレールの長手方向に移動可能にした間仕切り装置が記載されている。
【特許文献１】特開平１１−２７０２１５号公報
【発明の開示】
【発明が解決しようとする課題】
【０００５】
そこで、本発明は、天井と壁との接続部に機能性や装飾性などを持たせ、高性能な部屋を実現することのできる折上げ天井と壁との接続構造を提供することを目的としている。
【課題を解決するための手段】
【０００６】
本発明の折上げ天井と壁との接続構造は、上記の課題を解決するために、以下のことを特徴としている。
【０００７】
第１に、折上げ天井と壁との接続構造であって、壁を形成し、天井際に位置する壁パネルの裏面に取り付けられた枠の上横桟から部屋の内部に向かって壁側固定枠が突設され、壁側固定枠は突出端に垂下片を有し、天井を形成する天井パネルの側縁部に天井パネルの外側に突出し、折り上がった形状の天井側固定枠が配設され、壁側固定枠に天井側固定枠を重ね合わせ、両者を固定することにより壁パネルと天井パネルとの間に凹状の折上げ空隙が形成され、折上げ空隙の内部に吊り下げを可能とした機能レール部が壁側固定枠と一体に設けられている。
【０００８】
第２に、上記第１の特徴において、壁側固定枠は長尺の部材であり、壁パネルの横幅全体に設けられ、機能レール部が壁側固定枠の全長にわたって設けられている。
【発明の効果】
【０００９】
上記第１の発明によれば、天井際に位置する壁パネルの裏面に取り付けられた枠の上横桟から部屋の内部に向かって突設され、突出端に垂下片を有する壁側固定枠に、天井パネルの側縁部に配設され、天井パネルの外側に突出する折り上がった形状の天井側固定枠を重ね合わせ、両者を固定することにより壁パネルと天井パネルとの間に凹状の折上げ空隙が形成されるので、従来のように天井パネルと壁パネルとの接続部に化粧廻り縁を設ける必要がなく、化粧廻り縁がなくとも天井パネルと壁パネルとの接続部は美麗に納まる。また、折上げ空隙の内部には吊り下げを可能とした機能レール部が壁側固定枠と一体に設けられているので、たとえば物干しバーなどの機能器具やディスプレー部材などの小物部材を機能レール部に吊り下げることができ、機能性や装飾性などが向上し、高性能な部屋が実現される。さらに、機能レール部は壁側固定枠の内部に一体に設けられているので、機能レール部が部屋に露出することはなく、また、機能レール部の配設に手間がかからず、施工容易である。
【００１０】
上記第２の発明によれば、上記第１の発明の効果に加え、壁側固定枠は長尺の部材であり、壁パネルの横幅全体に設けられ、機能レール部が壁固定枠の全長にわたって設けられているので、任意の折上げ空隙に機能器具や小物部材を吊り下げることができ、機能器具や小物部材の取付場所が制約を受けない。
【発明を実施するための最良の形態】
【００１１】
図１は、本発明の折上げ天井と壁との接続構造の一実施形態を示した要部断面図である。
【００１２】
壁Ｗは、壁パネル１から形成されている。壁パネル１は、部屋Ｒの内壁を形成する矩形形状の化粧板２を表面に有し、化粧板２の裏面の四周端縁部に矩形形状の枠３が取り付けられて形成されている。枠３は、壁パネル１の裏面上端縁部に上横桟３ａ、裏面下端部に下横桟、裏面左端縁部に左縦桟および裏面右端縁部に右縦桟３ｂを少なくとも有している。壁パネル１の大きさによっては、強度を高めるなどのために、左縦桟と右縦桟３ｂとの間に単数または複数の中縦桟を配設したり、上横桟３ａと下横桟との間に単数または複数の中横桟を配設したりすることができる。これらの上横桟３ａ、下横桟、左縦桟、右縦桟３ｂ、中縦桟および中横桟には、いずれも中空な金属フレームを用いることができ、壁パネル１の重量を軽減するとともに、壁パネル１の撓み、捩れなどを抑制することができる。
【００１３】
天井Ｃは、天井パネル４から形成されている。天井パネル４は、天井Ｃの形状に合わせて形成することができ、複数に分割されたものを使用することもできる。天井パネル４は、天井面を形成する鋼板５を備え、鋼板５において壁Ｗの際に位置する端縁部は上方に略直角に折り曲げられ、折り曲げ片５ａが形成されている。鋼板５の裏面には補強用の石膏ボード６が貼られている。
【００１４】
部屋Ｒに建て込まれた壁パネル１に対して天井パネル４を接続する際には、天井Ｃの際に位置する壁パネル１に壁側固定枠７が配設され、天井パネル４に天井側固定枠８が配設される。
【００１５】
壁側固定枠７は、壁パネル１の厚さより奥行きの長い水平片７ａを有し、水平片７ａの上側に一定高さの断面略コ字型形状の載置部７ｂを一体的に備えている。載置部７ｂの側片７ｂ１の下端は水平片７ａの一端に連結されている。また、壁側固定枠７では、載置部７ｂの側片７ｂ１の下端が連結された水平片７ａの一端から垂下片７ｃが延設されている。垂下片７ｃの下端には、水平片７ａと平行に支持片７ｄが延設され、支持片７ｄの垂下片７ｃと反対側の端部は上方に略直角に折り曲げられ、折り曲げ片７ｅが形成されている。壁側固定枠７では、載置部７ｂによって水平片７ａの強度が高められ、支持片７ｄによって垂下片７ｃの強度が高められている。
【００１６】
天井側固定枠８は、断面略Ｌ字型形状の折り上がった枠であり、起立片８ａを有し、起立片８ａの上端から水平に固定片８ｂが延設されている。固定片８ｂの起立片８ａと反対側の端部は下方に折り曲げられ、折り曲げ片８ｃが形成されている。折り曲げ片８ｃによって固定片８ｂの強度が高められている。
【００１７】
壁側固定枠７は、天井Ｃの際に位置する壁パネル１の裏面に取り付けられた枠３の上横桟３ａに接続される。すなわち、水平片７ａを上横桟３ａの上面に載置し、垂下片７ｃが部屋Ｒの内部に配置されるようにして水平片７ａの一端部７ａ１においてビス９などの固着具により壁側固定枠７を天井Ｃの際に位置する壁パネル１の上横枠３ａに固定する。このとき、載置部７ｂの側片７ｂ１に対向する側片７ｂ２は、壁パネル１の表面の化粧板２と略同一垂直面上に配置される。このような固定によって、壁側固定枠７は、壁Ｗを形成し、天井Ｃの際に位置する壁パネル１の裏面に取り付けられた枠３の上横桟３ａから部屋Ｒの内部に向かって突設される。
【００１８】
天井側固定枠８は、固定片８ｂが天井パネル４の外側に突出して配置されるように、起立片８ａを天井パネル４に備えた鋼板５の端縁部に形成された折り曲げ片５ａの外側に重ね合わせ、ボルト１０およびナット１１などの固着具によって連結する。天井側固定枠８の起立片８ａおよび天井パネル４の鋼板５の折り曲げ片５ａにはボルト１０およびナット１１などの固着具が挿入可能な孔を形成しておくことができる。
【００１９】
このようにして壁パネル１に壁側固定枠７を取り付け、天井パネル４に天井側固定枠８を取り付けた後に、天井パネル４を壁パネル１に取り付ける。すなわち、天井側固定枠８を壁側固定枠７に載置し、天井側固定枠８の固定片８ｂを壁側固定枠７の載置部７ｂにおける上片７ｂ３に上側から当接させるとともに、天井側固定枠８の起立片８ａを壁側固定枠７の載置部７ｂの側片７ｂ１および垂下片７ｃに外側から当接させ、壁パネル１から部屋Ｒの内部に向かって突出する壁側固定枠７の水平片７ａにおける略中央部においてタッピンねじ１２などの固着具によって上片７ｂ３と固定片８ｂを締結することにより、天井パネル４が壁パネル１に接続される。このとき、天井パネル４は、壁側固定枠７の支持片７ｄおよび折り曲げ片７ｅによって端縁部が下方から支持される。
【００２０】
接続された状態では、壁側固定枠７が垂下片７ｃを有し、天井側固定枠８が折り上がった形状を有しているため、壁パネル１と天井パネル４との間に凹状の折上げ空隙１３が形成される。折上げ空隙１３の形成によって、壁パネル１と天井パネル４との間の接続部は露出しないので、化粧廻り縁を設けずとも見栄えが良く、外観に優れる。壁パネル１と天井パネル４との接続部は美麗に納まる。
【００２１】
また、図１に示した折上げ天井と壁との接続構造では、折上げ空隙１３の内部に機能レール部１４が壁側固定枠７と一体に設けられている。機能レール部１４は、タッピンねじ１２などの固着具の挿入を可能とする分離間して水平に配置された前後一対の水平片１４ａ、１４ｂを備え、水平片１４ａ、１４ｂは折上げ空隙１３の高さ以内に配設されている。また、各水平片１４ａ、１４ｂには壁側固定枠７の水平片７ａに接続される垂直片１４ｃ、１４ｄが設けられている。このような水平片１４ａ、１４ｂ、垂直片１４ｃ、１４ｄおよび水平片７ａにより、機能レール部１４には、下方に開口した空隙１５が形成されている。このため、たとえば物干しバーなどの機能器具やディスプレー部材などの小物部材は、機能レール部１４に吊り下げ可能であり、部屋Ｒの機能性や装飾性などを向上させることができ、高性能な部屋Ｒが実現される。さらに、機能レール部１４は壁側固定枠７の内部に一体に設けられているので、機能レール部１４が部屋Ｒに露出することはなく、また、機能レール部１４の配設に手間がかからず、施工容易である。
【００２２】
なお、壁側固定枠７は、アルミニウムなどの金属の押出成形品として作製することができる。また、壁側固定枠７は長尺の部材とすることができ、天井Ｃの際の壁パネル１の横幅全体に設けることができ、この場合、機能レール部１４も壁側固定枠７の全長にわたって設けることができるので、任意の折上げ空隙１３に機能器具や小物部材を吊り下げることができ、機能器具や小物部材の取付場所が制約を受けずにすむ。
【００２３】
たとえば以上に例示することのできる折上げ天井と壁との接続構造は、図２−４に示した浴室２１と浴室２１に隣接する洗面室２２との内壁を統合して形成し、浴室２１と洗面室２２とが連続する部屋として内壁が形成された浴室２１および洗面室２２の天井Ｃの取り付けに適している。
【００２４】
図２は、浴室と浴室に隣接する洗面室とを示した平面図である。図３は、図２に示した浴室および洗面室のＡ−Ａ断面図であり、図４は、図２に示した浴室および洗面室のＢ−Ｂ断面図である。
【００２５】
浴室２１に隣接して洗面室２２が配設されており、浴室２１および洗面室２２の内壁が、浴室２１および洗面室２２の各辺に対応する長さを有する横長形状の壁パネル１ａ、１ｂ、１ｃが床Ｆから天井Ｃに向かって３段に積み上げられて形成されている。浴室２１と洗面室２２とは、間仕切り壁２３によって仕切られており、間仕切り壁２３には、出入口を形成するドアユニット２４が取り付けられている。ドアユニット２４ではドア枠２４ａに透明なガラス板２４ｂが嵌め込まれ、ガラス戸２４ｃは浴室２１側に開く開き戸とされている。
【００２６】
このような横長形状の壁パネル１ａ、１ｂ、１ｃを用いて浴室２１と浴室２１に隣接する洗面室２２の内壁を統合して形成すると、浴室２１と洗面室２２とを統合して設計することができ、設計の手間が省け、また、浴室２１と洗面室２２との施工の取り合いが簡略化される。浴室２１の施工と洗面室２２との施工は連続的に行うことができ、作業効率が高い。形成される内壁は、図３に示したように浴室２１から洗面室２２まで統一感のあるものとなり、浴室２１と洗面室２２が連続する部屋として形成される。しかも、浴室２１と洗面室２２との間に間仕切り壁２３が取り付けられるが、間仕切り壁２３は、透明なガラス板２４ｂが嵌め込まれたドアユニット２４が取り付けられているため、浴室２１と洗面室２２との統一感はより高まり、外観が非常に優れたものとなる。
【００２７】
図１に示すことのできる本発明の折上げ天井と壁との接続構造は、図３図中の円Ｘで示される上段の壁パネル１ｃと天井パネル４との接続に採用することができる。本発明の折上げ天井と壁との接続構造の採用により、浴室２１と浴室２１に隣接する洗面室２２との内壁を統合して形成し、浴室２１と洗面室２２とが連続する部屋として内壁が形成された浴室２１と洗面室２２とが機能的となり、また、さらに装飾性が向上し、高性能な浴室２１および洗面室２２が実現される。
【００２８】
なお、本発明の折上げ天井と壁との接続構造は、浴室２１または洗面室２２のいずれか一方に適用しても有効である。両方に適用する場合には、天井パネル４の高さは浴室２１と洗面室２２とにおいて同一の高さとし、同一の仕上げとすることにより外観は顕著なものとなる。
【図面の簡単な説明】
【００２９】
【図１】本発明の折上げ天井と壁の接続構造の一実施形態を示した要部断面図である。
【図２】浴室と浴室に隣接する洗面室とを示した平面図である。
【図３】図２に示した浴室および洗面室のＡ−Ａ断面図である。
【図４】図２に示した浴室および洗面室のＢ−Ｂ断面図である。
【図５】＜ａ＞＜ｂ＞は、それぞれ、従来のユニットルームにおける天井と壁との接続構造を施工工程順に示したよう斜視図である。
【符号の説明】
【００３０】
Ｗ  壁
Ｃ  天井
Ｒ  部屋
１  壁パネル
３  枠
３ａ  上横桟
４  天井パネル
５ａ  折り曲げ片
７  壁側固定枠
７ｃ  垂下片
８  天井側固定枠
１３  折上げ空隙
１４  機能レール部
【図１】
2008180039.tif 000003
【図３】
2008180039.tif 000004
【図５】
2008180039.tif 000005
【図２】
2008180039.tif 000006
【図４】
2008180039.tif 000007